(57)【要約】【課題】例えば面が交差する稜線部分に、シート素材の破断面が現われるのを防止し得る体裁を整えた包装箱を、コストの高騰を招くことなく提供すること。【解決手段】底板１１の前後に前側板１２および背側板１３をそれぞれ折り線を介して立設すると共に、底板１１の左右に左外側板１８および右外側板２１をそれぞれ折り線を介して立設することで、方形状に組立てられる。前側板１２の左右の側辺から延びる前側折込み片１４，１５を、左右の外側板１８，２１の内側面に沿って配置すると共に、少なくとも左右の外側板１８，２１の前面側の側辺には、左右の前側折返し片１８ａ，２１ａがそれぞれ連結されて設けられる。左前側返し片１８ａが左外側板１８と左前側折込み片１４の間に沿って折り曲げられて配置されると共に、右前側折返し片２１ａが右外側板２１と右前側折込み片１５の間に沿って折り曲げられて配置される。【選択図】図１
2018087032.tif 000002
【特許請求の範囲】
【請求項１】
底板の前後に前側板および背側板をそれぞれ折り線を介して立設すると共に、底板の左右に左外側板および右外側板をそれぞれ折り線を介して立設することで、方形状に組立てた包装箱であって、
前記前側板の左右の側辺から延びる前側折込み片を、前記左右の外側板の内側面に沿って配置すると共に、少なくとも前記左右の外側板の前面側の側辺には、左右の前側折返し片がそれぞれ連結されて設けられ、
前記左前側返し片が左外側板と左前側折込み片の間に沿って折り曲げられて配置されると共に、前記右前側折返し片が右外側板と右前側折込み片の間に沿って折り曲げられて配置されていることを特徴とする組立式包装箱。
【請求項２】
前記背側板の左右の側辺から延びる背側折込み片がさらに設けられ、前記左右の背側折込み片を、前記左右の外側板の内側面に沿って配置すると共に、前記左右の外側板の背面側の側辺には、さらに左右の背側折返し片がそれぞれ連結されて設けられ、
前記左背側折返し片が左外側板と左背側折込み片の間に沿って折曲げられて配置されると共に、前記右背側折返し片が右外側板と右背側折込み片の間に沿って配置されていることを特徴とする請求項１に記載の組立式包装箱。
【請求項３】
前記左前側返し片および左背側折返し片は、前記左外側板の前後の側辺の全長に沿って、前記側辺と同一の長さ寸法となるようにそれぞれ形成されると共に、前記右前側返し片および右背側折返し片は、前記右外側板の前後の側辺の全長に沿って、前記側辺と同一の長さ寸法となるようにそれぞれ形成されていることを特徴とする請求項２に記載の組立式包装箱。
【請求項４】
前記左右の外側板の端辺には、それぞれ上縁板、内側板が折り線を介して連結され、前記外側板、上縁板、内側板を順次折曲げることで、前記前側板および背側板の左右側辺からそれぞれ延びる左右の前側折込み片および左右の背側折込み片を、前記外側板と内側板との間に折り込み、前記上縁板が箱の開口部に所定の幅を有する額縁を形成したことを特徴とする請求項３に記載の組立式包装箱。
【請求項５】
前記背側板には、さらに折り線を介して上蓋板および前蓋板が連結され、前記前蓋板の側辺に折り線を介して連結された左右の前蓋差込み片が、前記左右の前側折り返し辺と前記左右の前側折込み片との間にそれぞれ差し込まれていることを特徴とする請求項４に記載の組立式包装箱。
【請求項６】
前記上蓋板の側辺には、折り線を介して左右の上蓋差込み片が連結され、前記上蓋差込み片が、前記内側板の内側面に沿って位置することを特徴とする請求項５に記載の組立式包装箱。
【請求項７】
前記左右の上縁板の少なくとも前面側の左右側辺には、上縁側折り返し片が、左右上縁板の側辺の全長に沿って形成され、前記上縁側折り返し片が、前記左右上縁板の内側に沿ってそれぞれ折り込まれていることを特徴とする請求項４ないし請求項６のいずれか１項に記載の組立式包装箱。
【発明の詳細な説明】
【技術分野】
【０００１】
この発明は、組立て状態における外観が、例えば方形状になされる組立式包装箱に関し、特に面が交差する稜線部分等に素材の破断面が露出するのを防止できるようにすることで、体裁をより向上させた組立式包装箱に関する。
【背景技術】
【０００２】
一枚の合成紙や段ボール等の厚紙、もしくは厚手の樹脂シート等を利用して、これを直方体状に折り曲げて組立てた組立式包装箱が広く用いられている。
この種の組立式包装箱は、組立てや分解を容易にするために様々な工夫がなされ、また搬送中に変形が生ずることのないように、ある程度の剛性や耐久性を高める等の検討もなされている。また包装箱に収容される商品の価値や品質とのバランスを図るために、箱の開口縁に一定幅の縁板を額縁状に形成して、体裁をより向上させた組立式包装箱の提案もなされており、これは特許文献１および２などに開示されている。
【先行技術文献】
【特許文献】
【０００３】
【特許文献１】特開２００５−１４５５２５号公報
【特許文献２】特開２０１４−１３３５８０号公報
【０００４】
図８および図９は、特許文献１および２に示された額縁状の開口縁を備えた包装箱の例を、この発明に係る組立式包装箱の実施の形態に対応させて示したものである。
なお、図８および図９に示す従来の包装箱の主要部の構成は、図１〜図７に基づいて後で説明するこの発明に係る実施の形態と、一部（左右の外側板に形成された折返し片）を除いて同一である。したがって、対応する部分を同一符号で示し、組立式包装箱の詳細な説明は、図１〜図７に基づいて後で説明する。
【０００５】
図８は従来の組立式包装箱を展開した状態で示した展開シート１０の平面図であり、図９はこの展開シート１０を折り曲げて、直方体状の組立式包装箱１０Ａを形成した外観図である。なお、図８に示す展開シート１０に施された破線で示す折り線は、すべて９０度の谷折り線として形成されている。
【０００６】
図９に示す組立式包装箱１０Ａを組立てるには、図８に示す展開シート１０の底板１１を中央にして前側板１２と背側板１３を起立させた状態に折り曲げる。そして、前側板１２に連結された左前側折込み片１４、右前側折込み片１５をそれぞれ折り曲げると共に、背側板１３に連結された左背側折込み片１６、右背側折込み片１７も同様にそれぞれ折り曲げる。
【０００７】
この状態で、左前側折込み片１４、左背側折込み片１６にそれぞれ施された連結用切込み１４ａ、１６ａが上下に交差するようにして互いに差し込むことにより、左前側折込み片１４と左背側折込み片１６が連結される。同様に右前側折込み片１５、右背側折込み片１７にそれぞれ施された連結用切込み１５ａ、１７ａが上下に交差するようにして互いに差し込むことにより、右前側折込み片１５と右背側折込み片１７が連結される。
【０００８】
続いて、左外側板１８、左上縁板１９、左内側板２０を順に折り曲げて、左内側板２０に形成された左係止突起２０ａを、左係止孔１１ａに挿入する。これにより、左外側板１８、左上縁板１９、左内側板２０は、互いに連結された状態の左前側折込み片１４、左背側折込み片１６を覆い、箱の左側に左上縁板１９が額縁状に位置するように形成される。
同様に右外側板２１、右上縁板２２、右内側板２３を順に折り曲げて、右内側板２３に形成された右係止突起２３ａを、右係止孔１１ｂに挿入する。これにより、右外側板２１、右上縁板２２、右内側板２３は、互いに連結された状態の右前側折込み片１５、右背側折込み片１７を覆い、箱の右側に右上縁板２２が額縁状に位置するように形成される。
【０００９】
そして、上蓋板２４に対して、左上蓋差込み片２５、右上蓋差込み片２６を折り曲げて、背側板１３に対して上蓋板２４を折り曲げることにより、左上蓋差込み片２５、右上蓋差込み片２６は箱内に収容され、閉じられた上蓋板２４の左右両側に、左上縁板１９と右上縁板２２が額縁状に位置した状態になされる。
続いて、前蓋板２７に対して、左前蓋差込み片２８、右前蓋差込み片２９をそれぞれ折り曲げて、左前蓋差込み片２８を、左外側板１８と左前側折込み片１４との隙間に挿入する。同様に右前蓋差込み片２９を、右外側板２１と右前側折込み片１５との隙間に挿入することで、図９に示した直方体状の包装箱１０Ａを組み立てることができる。
【発明の概要】
【発明が解決しようとする課題】
【００１０】
前記した順序にしたがって組み立てられた図９に示す包装箱１０Ａによると、閉じられた上蓋板２４の両側に、左右の上縁板１９，２２が額縁状に位置し、これにより外観上の体裁を整えた組立式包装箱を提供することができる。
しかしながら、図９に示す包装箱１０Ａにおいては、上蓋板２４および前蓋板２７を前面側にして見た場合、前蓋板２７の両側に左外側板１８と右外側板２１の側辺が、符号ＣＳ１，ＣＳ２で示したように、シート素材の破断面として露出した状態で現われる。
【００１１】
段ボール等による一枚の展開シートを折り曲げて形成するこの種の組立式包装箱においては、組み立てられた箱の表面の化粧性を高めるために、箱の表面側となるシート素材の一方の面に、例えば白色系の塗装もしくは他の特定な塗色を施したものを用いる場合が多い。
これによると、塗装が施された前蓋板２７の両側に、塗装のないシート素材（段ボールシート）の破断面ＣＳ１，ＣＳ２が、箱の高さ方向に沿って現われることになり、この未塗装の破断面が見栄えを悪くして高級感を損ねる問題を引き起こす。
【００１２】
したがって、この発明が解決しようとする主要な課題は、シート素材に施された折り線を介して組み立てる包装箱において、特に人目につき易い少なくとも包装箱の前面側において、さらに好ましくは包装箱の全面にわたって、例えば面が交差する稜線部分に、シート素材の破断面が現われることを防止し得る体裁を整えた包装箱を、コストの高騰を招くことなく提供することにある。
【課題を解決するための手段】
【００１３】
前記した課題を解決するためになされたこの発明に係る組立式包装箱について、特許請求の範囲に記載の各事項と、実施例に記載の各部との関係について明確にするために、以下に、各請求項ごとに図に示す各構成要素の符号を付した状態で記載する。
【００１４】
この発明の請求項１に係る発明は、底板（１１）の前後に前側板（１２）および背側板（１３）をそれぞれ折り線を介して立設すると共に、底板（１１）の左右に左外側板（１８）および右外側板（２１）をそれぞれ折り線を介して立設することで、方形状に組立てた包装箱であって、前記前側板（１２）の左右の側辺から延びる前側折込み片（１４，１５）を、前記左右の外側板（１８，２１）の内側面に沿って配置すると共に、少なくとも前記左右の外側板（１８，２１）の前面側の側辺には、左右の前側折返し片（１８ａ，２１ａ）がそれぞれ連結されて設けられ、前記左前側返し片（１８ａ）が左外側板（１８）と左前側折込み片（１４）の間に沿って折り曲げられて配置されると共に、前記右前側折返し片（２１ａ）が右外側板（２１）と右前側折込み片（１５）の間に沿って折り曲げられて配置されていることを特徴とする組立式包装箱を、課題を解決する手段とする。
【００１５】
この発明の請求項２に係る発明は、前記背側板（１３）の左右の側辺から延びる背側折込み片（１６，１７）がさらに設けられ、前記左右の背側折込み片（１６，１７）を、前記左右の外側板（１８，２１）の内側面に沿って配置すると共に、前記左右の外側板（１８，２１）の背面側の側辺には、さらに左右の背側折返し片（１８ｂ，２１ｂ）がそれぞれ連結されて設けられ、前記左背側折返し片（１８ｂ）が左外側板（１８）と左背側折込み片（１６）の間に沿って折曲げられて配置されると共に、前記右背側折返し片（２１ｂ）が右外側板（２１）と右背側折込み片（１７）の間に沿って配置されていることを特徴とする請求項１に記載の組立式包装箱を、課題を解決する手段とする。
【００１６】
この発明の請求項３に係る発明は、前記左前側返し片（１８ａ）および左背側折返し片（１８ｂ）は、前記左外側板（１８）の前後の側辺の全長に沿って、前記側辺と同一の長さ寸法となるようにそれぞれ形成されると共に、前記右前側返し片（２１ａ）および右背側折返し片（２１ｂ）は、前記右外側板（２１）の前後の側辺の全長に沿って、前記側辺と同一の長さ寸法となるようにそれぞれ形成されていることを特徴とする請求項２に記載の組立式包装箱を、課題を解決する手段とする。
【００１７】
この発明の請求項４に係る発明は、前記左右の外側板（１８，２１）の端辺には、それぞれ上縁板（１９，２２）、内側板（２０，２３）が折り線を介して連結され、前記外側板（１８，２１）、上縁板（１９，２２）、内側板（２０，２３）を順次折曲げることで、前記前側板（１２）および背側板（１３）の左右側辺からそれぞれ延びる左右の前側折込み片（１４，１５）および左右の背側折込み片（１６，１７）を、前記外側板（１８，２１）と内側板（２０，２３）との間に折り込み、前記上縁板（１９，２２）が箱の開口部に所定の幅を有する額縁を形成したことを特徴とする請求項３に記載の組立式包装箱を、課題を解決する手段とする。
【００１８】
この発明の請求項５に係る発明は、前記背側板（１３）には、さらに折り線を介して上蓋板（２４）および前蓋板（２７）が連結され、前記前蓋板（２７）の側辺に折り線を介して連結された左右の前蓋差込み片（２８，２９）が、前記左右の前側折り返し辺（１８ａ，２１ａ）と前記左右の前側折込み片（１４，１５）との間にそれぞれ差し込まれていることを特徴とする請求項４に記載の組立式包装箱を、課題を解決する手段とする。
【００１９】
この発明の請求項６に係る発明は、前記上蓋板（２４）の側辺には、折り線を介して左右の上蓋差込み片（２５，２６）が連結され、前記上蓋差込み片（２５，２６）が、前記内側板（２０，２３）の内側面に沿って位置することを特徴とする請求項５に記載の組立式包装箱を、課題を解決する手段とする。
【００２０】
この発明の請求項７に係る発明は、前記左右の上縁板（１９，２２）の少なくとも前面側の左右側辺には、上縁側折り返し片（１９ａ，２２ａ）が、左右上縁板（１９，２２）の側辺の全長に沿って形成され、前記上縁側折り返し片（１９ａ，２２ａ）が、前記左右上縁板（１９，２２）の内側に沿ってそれぞれ折り込まれていることを特徴とする請求項４ないし請求項６のいずれか１項に記載の組立式包装箱を、課題を解決する手段とする。
【発明の効果】
【００２１】
前記した組立式包装箱の基本構成によると、左右外側板の少なくとも前面側の側辺に、それぞれ前側折返し片を設けた構成になされているので、この折返し片を折り曲げることで、前側板の左右にシート素材の破断面が現われることのない包装箱を提供することができる。
また、左右外側板の背面側の側辺にも、同様に背側折返し片を設けることにより、包装箱の背面側においてもシート素材の破断面が現われることのない包装箱を提供することができる。
【００２２】
一方、左右の外側板にそれぞれ上縁板、内側板を連結し、これらを順次折曲げて上縁板を箱の開口部に額縁として形成した構成においては、前記上縁板の側辺にも折返し片を設けることで、同様に上縁板による額縁の端部にシート素材の破断面が現われることのない包装箱を提供することができる。
加えて、箱の開口および前側板を覆う上蓋板および前蓋板の左右の側辺にも、それぞれ上蓋差込み片および前蓋差込み片を設けた構成とすることで、包装箱の全面にわたって、シート素材の破断面が現われることのない体裁を整えた包装箱を実現することができる。
【図面の簡単な説明】
【００２３】
【図１】この発明に係る第１の実施の形態について、組立式包装箱を展開した状態で示した展開シートの平面図である。
【図２】図１に示す展開シートの斜視図である。
【図３】前側板および背側板を起立させて、左右の折込み片を連結させた状態を示す斜視図である。
【図４】前後左右の折返し片を折り曲げた状態を示した斜視図である。
【図５】左右に上縁板による額縁を形成した状態を示す斜視図である。
【図６】包装箱を組み立てた状態を示す斜視図である。
【図７】この発明に係る第２の実施の形態について、組立式包装箱を展開した状態で示した展開シートの平面図である。
【図８】従来の包装箱を展開した状態で示した展開シートの平面図である。
【図９】図９に示す展開シートにより包装箱を組み立てた状態を示す斜視図である。
【発明を実施するための形態】
【００２４】
この発明に係る組立式包装箱の第１の実施の形態を、図１〜図６に基づいて説明する。
図１および図２は、組立式包装箱の展開シート１を、正面図および斜視図で示しており、この例に示す展開シート１は、一枚の合成紙もしくは段ボールシートを打ち抜き加工により形成している。
【００２５】
なお図１および図２に示す展開シート１と、すでに説明した図８に示した展開シート１０との相違点は、図１および図２に示す展開シート１においては、左右の外側板１８および２１の側辺に、それぞれ折返し片１８ａ，１８ｂおよび折返し片２１ａ，２１ｂが追加されている点にある。
そして、外側板１８と折返し片１８ａ，１８ｂとの間の破線、および外側板２１と折返し片２１ａ，２８ｂとの間の破線は１８０度の折返し線であり、その他の破線はすべて９０度の谷折り線を示している。
【００２６】
以下、図１および図２に示す展開シート１を用いた包装箱について、図３〜図６に示す組み立て順序にしたがって説明する。
まず図３に示すように、展開シート１における長方形状の底板１１を中央にして、前側板１２と背側板１３を起立させた状態に折り曲げる。そして、前側板１２に連結された左右の前側折込み片１４，１５を谷折り線を介してそれぞれ折り曲げると共に、背側板１３に連結された左右の背側折込み片１６，１７も、同様に谷折り線を介してそれぞれ折り曲げる。
【００２７】
これにより、左右の前側折込み片１４，１５に施された連結用切込み１４ａ，１５ａは、その切欠き部分が下向きになされる。また、左右の背側折込み片１６，１７に施された連結用切込み１６ａ，１７ａは、その切欠き部分が上向きになされる。
したがって、左前側折込み片１４の連結用切込み１４ａと、左背側折込み片１６の連結用切込み１６ａとが、上下に交差するようにして互いに差し込むことで、両者を連結することができる。同様に右前側折込み片１５の連結用切込み１５ａと、右背側折込み片１７の連結用切込み１７ａとが、上下に交差するようにして互いに差し込むことで、両者を連結することができる。図３は前後左右の折込み片１４，１６および１５，１７を連結させた状態を示している。
【００２８】
そして図４に示すように、左外側板１８の前後の側辺に連結された前側返し片１８ａと背側折返し片１８ｂを、左外側板１８との間に施された折返し線を介して１８０度、左外側板１８側に（内側に）折り曲げる。また同様に、右外側板２１の前後の側辺に連結された前側返し片２１ａと背側折返し片２１ｂを、右外側板２１との間に施された折返し線を介して１８０度、右外側板２１側に（内側に）折り曲げる。
【００２９】
この場合、左前側返し片１８ａおよび左背側折返し片１８ｂは、前記左外側板１８の前後の側辺の全長に沿って、前記側辺と同一の長さ寸法となるようにそれぞれ形成されている。また、右前側返し片２１ａおよび右背側折返し片２１ｂは、前記右外側板２１の前後の側辺の全長に沿って、前記側辺と同一の長さ寸法となるようにそれぞれ形成されている。なお、前記各返し片１８ａ，１８ｂ，２１ａ，２１ｂは、それぞれ台形状に形成されているが、これらは角型または円弧状など、任意の形態を採用することができる。
【００３０】
続いて、左外側板１８、左上縁板１９、左内側板２０を順に折り曲げて、左内側板２０に形成された左係止突起２０ａを、底板１１に形成された左係止孔１１ａに挿入する。これにより、左外側板１８、左上縁板１９、左内側板２０は、連結された状態の左前側折込み片１４、左背側折込み片１６を覆い、箱の左側に左上縁板１９が額縁状に位置するように形成される。
【００３１】
同様に右外側板２１、右上縁板２２、右内側板２３を順に折り曲げて、右内側板２３に形成された右係止突起２３ａを、底板１１に形成された右係止孔１１ｂに挿入する。これにより、右外側板２１、右上縁板２２、右内側板２３は、連結された状態の右前側折込み片１５、右背側折込み片１７を覆い、箱の右側に右上縁板２２が額縁状に位置するように形成される。
図５は、前記した左上縁板１９と右上縁板２２とにより、箱の左右開口部に所定の幅を有する額縁（左上縁板１９、右上縁板２２と同一の符号で示す。）を形成した状態を示している。
【００３２】
そして、図５に示すように上蓋板２４に対して、左上蓋差込み片２５、右上蓋差込み片２６を折り曲げて、背側板１３に対して上蓋板２４を折り曲げることにより、左上蓋差込み片２５と右上蓋差込み片２６は箱内に収容される。すなわち、左上蓋差込み片２５は、左内側板２０に接した状態になされ、右上蓋差込み片２６は、右内側板２３に接した状態になされる。
これにより、閉じられた上蓋板２４の左右両側に、左上縁板１９と右上縁板２２がそれぞれ額縁状に位置した状態になされる。
【００３３】
続いて、前蓋板２７に対して左前蓋差込み片２８、右前蓋差込み片２９をそれぞれ折り曲げて、左前蓋差込み片２８を、左前側折返し片１８ａと左前側折込み片１４との隙間に挿入する。同様に右前蓋差込み片２９を、右前側折返し片２１ａと右前側折込み片１５との隙間に挿入することで、図６に示した方形状の包装箱１Ａを組み立てることができる。
【００３４】
前記した構成の組立式包装箱によると、左右の外側板１８，２１の少なくとも前面側の側辺に、それぞれ前側折返し片１８ａ，２１ａを連結して設けることで、前面側の左右に、シート素材の破断面が現われることのない包装箱を提供することができる。
また、左右の外側板１８，２１の背面側の側辺にも、それぞれ背側折返し片１８ｂ，２１ｂを連結して設けることで、包装箱の背面側の左右においても、シート素材の破断面が現われることのない包装箱を提供することができる。
【００３５】
図７は、この発明に係る組立式包装箱の第２の実施の形態を、展開シートの状態で示している。この図７に示す展開シート２においては、図１に示した展開シート１の構成に加えて、左上縁板１９における前後の側辺に沿って、折返し片１９ａ，１９ｂが前記側辺の全長にわたって形成されている。また同様に右上縁板２２においても、その前後の側辺に沿って、折返し片２２ａ，２２ｂが前記側辺の全長にわたって形成されている。
【００３６】
そして、前記折返し片１９ａ，１９ｂは左上縁板１９に対して、１８０度の折返し線を介して連結されており、前記折返し片２１ａ，２１ｂは右上縁板２２に対して、１８０度の折返し線を介して連結されている。
図７に示した展開シート２のその他の構成は、図１に示した展開シート１の構成と同様であり、したがって相当する部分に図１と同一の符号を付けて、その詳細な説明は省略する。
【００３７】
図７に示す展開シート２を用いて包装箱を組み立てると、左右に額縁を形成する左上縁板１９と右上縁板２２の長手方向の前後に、それぞれ折返し片１９ａ，１９ｂと２２ａ，２２ｂが左右の上縁板１９，２２に対して内側に１８０度折り曲げられた状態で位置することになる。
これにより、左上縁板１９と右上縁板２２の各端部にシート素材の破断面が現われることのない包装箱を提供することができる。
なお、図７に示す左右の上縁板１９，２２に形成された各折返し片１９ａ，１９ｂ，２２ａ，２２ｂは、いずれも円弧状の小突起により構成されているが、これらは角型または台形状など、任意の形態を採用することができる。
【００３８】
したがって、図７に示す展開シート２を利用した包装箱の第２の実施の形態によると、図１〜図６に示した第１の実施の形態において、上縁板１９，２２の端部に生ずるシート素材の破断面の露出を防止することができ、体裁をより向上させた包装箱を提供することができる。
加えて、第１および第２の実施の形態に示したように、上蓋板２４の左右に上蓋差込み片２５，２６を、前蓋板２７の左右に前蓋差込み片２８，２９を備えた構成によると、包装箱の全面にわたって、シート素材の破断面が現われることのない体裁を整えた包装箱を実現することができる。
【００３９】
さらに、この発明に係る包装箱によると、左右の外側板１８，２１の側辺に、折返し片１８ａ，１８ｂ，２１ａ，２１ｂを形成したことにより、これらが左右の外側板と共に二重構造となるので、包装箱の縦方向の強度を向上させることに寄与することができる。
そして、包装箱の前面側に位置する前記折返し片１８ａ，２１ａは、前蓋板２７に形成された左右の前蓋差込み片２８，２９を、左右両側から押さえる作用を果たすので、包装状態における前蓋板２７の開きを効果的に抑制させることに寄与し、包装状態において型崩れが発生し難い組立式包装箱を提供することが可能となる。
【符号の説明】
【００４０】
１      展開シート
１Ａ    組立式包装箱
２      展開シート
１１    底板
１１ａ  左係止孔
１１ｂ  右係止孔
１２    前側板
１３    背側板
１４    左前側折込み片
１４ａ  連結用切込み
１５    右前側折込み片
１５ａ  連結用切込み
１６    左背側折込み片
１６ａ  連結用切込み
１７    右背側折込み片
１７ａ  連結用切込み
１８    左外側板
１８ａ  左前側折返し片
１８ｂ  左背側折返し片
１９    左上縁板（左額縁）
１９ａ  左上縁前側折返し片
１９ｂ  左上縁背側折返し片
２０    左内側板
２０ａ  左係止突起
２０ｂ  左折曲げ突起
２１    右外側板
２１ａ  右前側折返し片
２１ｂ  右背側折返し片
２２    右上縁板（右額縁）
２２ａ  右上縁前側折返し片
２２ｂ  右上縁背側折返し片
２３    右内側板
２３ａ  右係止突起
２４    上蓋板
２５    左上蓋差込み片
２６    右上蓋差込み片
２７    前蓋板
２８    左前蓋差込み片
２９    右前蓋差込み片
【図１】
2018087032.tif 000003
【図２】
2018087032.tif 000004
【図３】
2018087032.tif 000005
【図４】
2018087032.tif 000006
【図５】
2018087032.tif 000007
【図６】
2018087032.tif 000008
【図７】
2018087032.tif 000009
【図８】
2018087032.tif 000010
【図９】
2018087032.tif 000011